(57)【要約】      （修正有）【課題】製造コストを節約するとともに、光学特性を向上させるレンズの製造方法及当該方法を適用したレンズモジュールの提供。【解決手段】第１の表面を有するウェーハ及び加圧成形用金型を用意する第１のステップと、加圧成形用金型を用いて前記ウェーハの第１の表面を予め定められた形状に加圧成形して、レンズのアレイを形成する第２のステップと、レンズのアレイの第１の表面に光フィルター膜を塗布する第３のステップと、ウェーハをカットして複数のレンズを形成する第４のステップとを含む。【選択図】図２
2017032967.tif 000002
【特許請求の範囲】
【請求項１】
第１の表面を有するウェーハ及び加圧成形用金型を用意する第１のステップと、
加圧成形用金型を用いて前記ウェーハの第１の表面を予め定められた形状に加圧成形して、レンズのアレイを形成する第２のステップと、
レンズのアレイの第１の表面に光フィルター膜を塗布する第３のステップと、
ウェーハをカットして複数のレンズを形成する第４のステップとを含むこと、を特徴とするレンズの製造方法。
【請求項２】
前記光フィルター膜は赤外線を除去するためのものであること、を特徴とする請求項１に記載のレンズの製造方法。
【請求項３】
前記光フィルター膜は、蒸着プロセスによって前記レンズのアレイの第１の表面上に塗布される、ことを特徴とする請求項１に記載のレンズの製造方法。
【請求項４】
前記ウェーハは、前記第１の表面に対向する第２の表面を含み、
第２のステップでは、前記加圧成形用金型は、第１の表面と第２の表面を同時に予め定められた形状に加圧成形することを特徴とする請求項１に記載のレンズの製造方法。
【請求項５】
第２のステップでは、前記加圧成形用金型は、ウェーハの第１の表面を平面に加圧成形することを特徴とする請求項１に記載のレンズの製造方法。
【請求項６】
請求項１〜５のいずれか一つに記載のレンズの製造方法によって製造されたレンズを含むことを特徴とする撮像モジュール。
【請求項７】
物体側から像側に順に、第１のレンズと、絞りと、前記レンズの製造方法によって製造されたレンズである第２のレンズと、第３のレンズとを含み、
前記第２のレンズの第１の表面は、第２のレンズの物体側面とし、
第２の表面は、第２のレンズの像側面とする、ことを特徴とする請求項６に記載の撮像モジュール。
【請求項８】
前記絞りは、前記第２のレンズの物体側面に設けられることを特徴とする請求項７に記載の撮像モジュール。
【請求項９】
前記第２のレンズは、ブルーグラス材料であることを特徴とする請求項７に記載の撮像モジュール。
【発明の詳細な説明】
【技術分野】
【０００１】
レンズモジュールの製造方法及び当該レンズを応用した撮像モジュール
【背景技術】
【０００２】
従来技術におけるカメラモジュールでは、通常、レンズモジュールと画像センサとの間には赤外線フィルターが設けられ、赤外光による結像効果の影響を避けるように赤外光を除去する。しかしながら、レンズモジュール以外に設けられる赤外線フィルタが占めるスペースにより、カメラモジュールのスペースを増加させて、カメラモジュールの小型化の要求を満足することができなくなる。
【０００３】
したがって、新しいレンズモジュールを提供して上記の欠陥を克服する必要がある。
【発明の概要】
【発明が解決しようとする課題】
【０００４】
本発明は、製造コストを節約するとともに、光学特性を向上させるレンズの製造方法及当該方法を適用したレンズモジュールを提供することを目的とする。
【課題を解決するための手段】
【０００５】
上記の目的を達成するために、本発明におけるレンズの製造方法は、第１の表面を有するウェーハ及び加圧成形用金型を用意する第１のステップと、加圧成形用金型を用いて前記ウェーハの第１の表面を予め定められた形状に加圧成形して、レンズのアレイを形成する第２のステップと、レンズのアレイの第１の表面に光フィルター膜を塗布する第３のステップと、ウェーハをカットして複数のレンズを形成する第４のステップとを含む。
【０００６】
好ましくは、前記光フィルター膜は赤外線を除去するためのものである。
【０００７】
好ましくは、前記光フィルター膜は、蒸着プロセスによって前記レンズのアレイの第１の表面上に塗布される。
【０００８】
好ましくは、前記ウェーハは、前記第１の表面に対向する第２の表面を含み、第２のステップでは、前記加圧成形用金型は、第１の表面と第２の表面を同時に予め定められた形状に加圧成形する。
【０００９】
好ましくは、第２のステップでは、前記加圧成形用金型は、ウェーハの第１の表面を平面に加圧成形する。
【００１０】
また、本発明は、前記のレンズの製造方法によって製造されたレンズを含む撮像モジュールを提供する。
【００１１】
好ましくは、前記撮像モジュールは、物体側から像側に順に、第１のレンズと、絞りと、前記レンズの製造方法によって製造されたレンズである第２のレンズと、第３のレンズとを含み、前記第２のレンズの第１の表面は、第２のレンズの物体側面とし、第２の表面は、第２のレンズの像側面とする。
【００１２】
好ましくは、前記絞りは、前記第２のレンズの物体側面に設けられる。
【００１３】
好ましくは、前記第２のレンズは、ブルーグラス材料である。
【発明の効果】
【００１４】
第２のレンズに光フィルター膜が塗布されたから、特定的近赤外線の波長域の光源をレンズモジュールから透過させることができ、他の波長域の光源の影響及び干渉を低下させて、解像品質を向上させる。また、レンズモジュールの光学的全長を有効に低下させ、レンズの小型化の特性を維持する。
【図面の簡単な説明】
【００１５】
【図１】図１は本発明のレンズの製造方法のフローチャートである。
【図２】図２は本発明のレンズモジュールの構成図である。
【発明を実施するための形態】
【００１６】
以下には、図面及び実施形態を参照しながら、本発明を更に記述する。
図１はレンズの製造方法を示す。当該製造方法は以下のステップを含む。
【００１７】
第１のステップＳ１：ウェーハ及び加圧成形用金型を用意する。前記ウェーハは、第１の表面と、前記第１の表面に対向する第２の表面とを含み。前記加圧成形用金型は、ウェーハを挟むことにより、同時に前記ウェーハの第１の表面と第２の表面とを加圧成形できるものである。
【００１８】
第２のステップＳ２：加圧成形用金型を利用して、前記ウェーハを予め定められた形状に加圧成形して、レンズのアレイを形成する。本実施例では、前記加圧成形用金型は、ウェーハの第１の表面を平面に加圧成形して、ウェーハの第２の表面を凹面（当然、凸面または平面でもよい）に加圧成形する。
【００１９】
第３のステップＳ３：蒸着プロセスによって、レンズのアレイの第１の表面に赤外線を除去するための光フィルター膜を蒸着する。
【００２０】
第４のステップＳ４：カッターを利用してウェーハをカッティングして、複数のレンズを形成する。
【００２１】
光フィルター膜はウェーハ全面に蒸着されてから単一のレンズにカットされるものであるため、量産に適用でき、生産のコストを節約することができる。
【００２２】
図２を参照すれば、本発明は、撮像モジュール１００を提供する。前記撮像モジュール１００は、物体側から像側まで順に、第１のレンズ１１と、絞り４０と、前記レンズの製造方法を適用して製造されたレンズである第２のレンズ１２と、第３のレンズ１３と、ガラス板２０と、像面３０とを含み、像面３０上に画像センサが設けられる。本実施形態では、第１のレンズ１１、第２のレンズ１２及び第３のレンズ１３は屈曲力を有する。他の実施形態では、撮像モジュールは、三つ以上のレンズを含んでも良いが、三つ未満のレンズを含んでも良い。
【００２３】
その中、前記レンズの第１の表面は、第２のレンズ１２の物体側の面１２１とし、第２の表面は、第２のレンズ１２の像側の面１２２とする。前記絞り４０は、前記第２のレンズ１２の物体側の面１２１に設けられる。したがって、第２のレンズに光フィルター膜が塗布されたから、特定的近赤外線の波長域の光源をレンズモジュールから透過させて、他の波長域の光源の影響及び干渉を低下させて、解像品質を向上させて、且つレンズモジュールの光学的全長を有効に低下させ、レンズの小型化の特性を維持する。また、光フィルター膜５０及び絞り４０はいずれも第２のレンズ１２の物体側の面１２１に設けられて、撮像モジュール１００の構成を簡単化してコストを低下させる。ガラス板上には光フィルター膜を設けることがなくてもよい。また、ガラス板も省略することできる。これにより、レンズモジュールのスペースを節約でき、レンズモジュールに設けられるレンズ数を増加することができる。これにより、レンズモジュールの性能を向上させる。
【００２４】
以上に記述するのは、本発明の実施形態に過ぎない。ここに注意するのは、当業者にとって、本発明の進歩性の構想を脱逸しない限り、改進することもできる。これらの改進は全て本発明の保護範囲に属するということである。
【符号の説明】
【００２５】
１００      撮像モジュール
１１        第１のレンズ
１２        第２のレンズ
１３        第３のレンズ
２０        ガラス板
３０        像面
４０        絞り
１２１      第２のレンズ１２の物体側の面
１２２      第２のレンズ１２の像側の面
５０        光フィルター膜
【図１】
2017032967.tif 000003
【図２】
2017032967.tif 000004